(57)【要約】【課題】タッチ操作に基づいて選択項目を受付ける際に、タッチパネルへのタッチ操作の接続数に応じて項目を選択することが可能な情報処理装置を提供すること。【解決手段】マルチタッチ入力パネルから入力されるタッチ操作に基づき入力を受け付ける情報処理装置であって、ホイール形式で表示される選択項目をタッチ操作により移動させることで選択を受付ける項目受付画面を表示する項目受付画面表示手段と、前記パネルへのタッチ操作に基づいて項目受付画面に表示された選択項目の選択を受付ける項目選択受付手段と、前記項目受付手段により受付けたタッチ操作の前記入力パネルへの接続数に応じて前記選択項目の移動量を決定する移動量決定手段と、を有する。【選択図】図５
2015049664.tif 000002
【特許請求の範囲】
【請求項１】
マルチタッチ入力パネルから入力されるタッチ操作に基づき入力を受け付ける情報処理装置であって、
ホイール形式で表示される選択項目をタッチ操作により移動させることで選択を受付ける項目受付画面を表示する項目受付画面表示手段と、
前記パネルへのタッチ操作に基づいて項目受付画面に表示された選択項目の選択を受付ける項目選択受付手段と、
前記項目選択受付手段により受付けたタッチ操作の前記入力パネルへの接続数に応じて前記選択項目の移動量を決定する移動量決定手段と、
を有することを特徴とする情報処理装置。
【請求項２】
前記移動量決定手段は、前記項目選択受付手段により選択項目を受付けた後、所定の操作を受付けた場合に動作することを特徴とする請求項１記載の情報処理装置。
【請求項３】
前記所定の操作とは、前記項目選択受付手段へのフリック操作によって移動する選択項目が停止状態となる所定時間内に行うことにより有効となることを特徴とする請求項２記載の情報処理装置。
【請求項４】
前記移動量決定手段は、前記タッチ操作による前記入力パネルへのフリック操作の方向に応じて選択項目の移動方向を決定することを特徴とする請求項１乃至３のいずれか１項に記載の情報処理装置。
【請求項５】
マルチタッチ入力パネルから入力されるタッチ操作に基づき入力を受け付ける情報処理装置の制御方法であって、
ホイール形式で表示される選択項目をタッチ操作により移動させることで選択を受付ける項目受付画面を表示する項目受付画面表示ステップと、
前記パネルへのタッチ操作に基づいて項目受付画面に表示された選択項目の選択を受付ける項目選択受付ステップと、
前記項目選択受付ステップにより受付けたタッチ操作の前記入力パネルへの接続数に応じて前記選択項目の移動量を決定する移動量決定ステップと、
を有することを特徴とする情報処理装置の制御方法。
【請求項６】
マルチタッチ入力パネルから入力されるタッチ操作に基づき入力を受け付ける情報処理装置で読み取り可能なプログラムであって、
前記情報処理装置を、
ホイール形式で表示される選択項目をタッチ操作により移動させることで選択を受付ける項目受付画面を表示する項目受付画面表示手段と、
前記パネルへのタッチ操作に基づいて項目受付画面に表示された選択項目の選択を受付ける項目選択受付手段と、
前記項目選択受付手段により受付けたタッチ操作の前記入力パネルへの接続数に応じて前記選択項目の移動量を決定する移動量決定手段と、
を有することを特徴とする情報処理装置として機能させるためのプログラム。
【発明の詳細な説明】
【技術分野】
【０００１】
本発明は、マルチタッチ入力パネルによってホイール形式で表示される項目選択画面への選択を受付けることが可能な情報処理装置に関する。
【背景技術】
【０００２】
近年、タッチパネルを有しタッチパネルへの操作を入力として動作する情報処理装置が利用されている。
【０００３】
ユーザは電子書籍を読むために利用したり、情報を入力したりとさまざまな用途に利用している。例えば電子書籍を扱う場合の問題点として、一度に多くのページをめくることができないということが提起され、これに対応する方法として、特許文献１ではより簡便に具体的な複数ページを指定してページめくり動作を実施することができる情報表示装置が提案されている。
【先行技術文献】
【特許文献】
【０００４】
【特許文献１】特開２０１２−６４９０２号公報
【発明の概要】
【発明が解決しようとする課題】
【０００５】
上記特許文献１のシステムでは、タッチパネルへのページ送り操作がシングルタッチかマルチタッチかを判定し、マルチタッチの場合その移動距離に応じてページめくり量を決定するようになっている。
【０００６】
しかしながら、上記特許文献１では、タッチの移動距離に応じてページめくり量を決定しているが、操作により決定されたページ送り量が所望のものでなかった場合の修正方法については考慮されていない。
【０００７】
例えば本願発明の対象となるホイール形式で表示される日付や時間などの選択項目の選択は、表示画面が小さい場合、タッチ操作だけでは正確に項目を動かしたくてもずれてしまうケースが多々発生しており、選択の微調整が必要な場合がある。
【０００８】
また、特許文献１によればページめくり量は、タッチの移動距離に応じたものをなっているが、本願発明のように対象が小さい場合、必要な距離移動できないような場合もある。
【０００９】
そこで、本発明は、タッチ操作に基づいて選択項目を受付ける際に、タッチパネルへのタッチ操作の接続数に応じて項目を選択することが可能な情報処理装置を提供することを課題とする。
【課題を解決するための手段】
【００１０】
マルチタッチ入力パネルから入力されるタッチ操作に基づき入力を受け付ける情報処理装置であって、ホイール形式で表示される選択項目をタッチ操作により移動させることで選択を受付ける項目受付画面を表示する項目受付画面表示手段と、前記パネルへのタッチ操作に基づいて項目受付画面に表示された選択項目の選択を受付ける項目選択受付手段と、前記項目受付手段により受付けたタッチ操作の前記入力パネルへの接続数に応じて前記選択項目の移動量を決定する移動量決定手段と、を有する。
【発明の効果】
【００１１】
本発明によれば、タッチ操作に基づいて選択項目を受付ける際に、タッチパネルへのタッチ操作の接続数に応じて項目を選択することが可能な情報処理装置を提供することを課題とする。
【図面の簡単な説明】
【００１２】
【図１】本発明の情報処理装置の項目選択画面の一例を示す図である。
【図２】本発明の情報処理装置における認証装置のハードウェア構成の一例を示す図である。
【図３】本発明の情報処理装置における機能構成の一例を示す図である。
【図４】本発明の情報処理装置における項目選択処理の画面イメージの一例を示す図である。
【図５】本発明の情報処理装置における項目調整処理の画面イメージの一例を示す図である。
【図６】本発明の情報処理装置の全体処理の一例を示すフローチャートである。
【図７】本発明の情報処理装置の微調整受付処理の一例を示すフローチャートである。
【図８】本発明の情報処理装置の微調整処理の一例を示すフローチャートである。
【発明を実施するための形態】
【００１３】
以下、図面を参照して、本発明の実施の形態の一例を説明する。
図１は、本発明の情報処理装置の項目選択画面の一例を示す図である。
【００１４】
情報処理装置１０１は、スマートフォンやタブレット端末などが適用可能であり、マルチタッチによる操作を受付け可能なタッチパネル入力パネルを備える。
【００１５】
画面タイトル１０２は、本画面に対して付与された名前が表示されており、実施例では例えば「出発日時入力画面」としている。例えばホテルなどの宿泊申し込みサイトで日付や日時を入力するようになっている。図では「日付入力」が選択された状態となっているが、「時刻入力」が選択されると項目選択画面は時刻用のものに切り替わるようになっている。
【００１６】
ホイール式項目選択欄１０３〜１０５は、それぞれ「年」「月」「日」を選択するようになっている。採用領域１０６に表示された項目が選択されることになる。また、ホイール形式項目選択欄は、ホイール（リール）のように、選択項目ごとにタッチ操作されることで項目が移動し、採用領域１０６に表示可能となっている。
【００１７】
例えば「日」の選択欄１０５のホイールを下方向にフリックすると１９日、１８日・・とホイール移動したように表示され、上方向にフリックすると、２１日、２２日・・・とホイールが移動したように表示される。
【００１８】
また、フリックの速度を早くすると一度に所定の量移動するように表示される。
【００１９】
本日日付１０７が押下されると本日の年月日が表示され、ＯＫ１０８が押下されると選択された日付（項目）が上位アプリケーション（本実施例では出発日時の入力を要求したアプリケーション）に引き渡される。
【００２０】
また、本実施例では、選択項目として日付や時刻を例にして説明したが、これ以外にも複数候補から択一的に選択できる項目であれば適用可能である。
【００２１】
図２は、本発明の情報処理装置のハードウェア構成の一例を示す図である。
【００２２】
図２に示すように、情報処理装置１０１では、システムバス２００を介してＣＰＵ（Ｃｅｎｔｒａｌ  Ｐｒｏｃｅｓｓｉｎｇ  Ｕｎｉｔ）２０１、ＲＯＭ（Ｒｅａｄ  Ｏｎｌｙ  Ｍｅｍｏｒｙ）２０２、ＲＡＭ（Ｒａｎｄｏｍ  Ａｃｃｅｓｓ  Ｍｅｍｏｒｙ）２０３、記憶装置２０４、入力コントローラ２０５、音声入力コントローラ２０６、ビデオコントローラ２０７、メモリコントローラ２０８、よび通信Ｉ／Ｆコントローラ２０９が接続される。
【００２３】
ＣＰＵ２０１は、システムバス２００に接続される各デバイスやコントローラを統括的に制御する。
【００２４】
ＲＯＭ２０２あるいは記憶装置２０４は、ＣＰＵ２０１が実行する制御プログラムであるＢＩＯＳ（Ｂａｓｉｃ  Ｉｎｐｕｔ／Ｏｕｔｐｕｔ  Ｓｙｓｔｅｍ）やＯＳ（Ｏｐｅｒａｔｉｎｇ  Ｓｙｓｔｅｍ）や、本情報処理方法を実現するためのコンピュータ読み取り実行可能なプログラムおよび必要な各種データ（データテーブルを含む）を保持している。
【００２５】
ＲＡＭ２０３は、ＣＰＵ２０１の主メモリ、ワークエリア等として機能する。ＣＰＵ２０１は、処理の実行に際して必要なプログラム等をＲＯＭ２０２あるいは記憶装置２０４からＲＡＭ２０３にロードし、ロードしたプログラムを実行することで各種動作を実現する。
【００２６】
入力コントローラ２０５は、キーボード／タッチパネル２１０などの入力装置からの入力を制御する。入力装置はこれに限ったものでなく、マウスやマルチタッチスクリーンなどの、複数の指でタッチされた位置を検出することが可能なタッチパネルであってもよい。
【００２７】
ユーザがタッチパネルに表示されたアイコンやカーソルやボタンに合わせて押下（指等でタッチ）することにより、各種の指示を行うことができる。
【００２８】
この入力装置を用いて各種通信装置で利用可能な通信宛先に対する宛先を入力するようになっている。
【００２９】
音声入力コントローラ２０６は、マイク２１１からの入力を制御する。マイク２１１から入力された音声を音声認識することが可能となっている。
【００３０】
ビデオコントローラ２０７は、ディスプレイ２１２などの外部出力装置への表示を制御する。ディスプレイは本体と一体になったノート型パソコンのディスプレイも含まれるものとする。なお、外部出力装置はディスプレイに限ったものははく、例えばプロジェクタであってもよい。また、前述のタッチ操作により受け付け可能な装置については、キーボード／タッチパネル２１０からの入力を受け付けることも可能となる。
【００３１】
メモリコントローラ２０８は、外部メモリ２１３へのアクセスを制御する。外部メモリとしては、ブートプログラム、各種アプリケーション、フォントデータ、ユーザファイル、編集ファイル、および各種データ等を記憶する外部記憶装置（ハードディスク）、フレキシブルディスク（ＦＤ）、或いはＰＣＭＣＩＡカードスロットにアダプタを介して接続されるコンパクトフラッシュ（登録商標）メモリ等を利用可能である。
【００３２】
通信Ｉ／Ｆコントローラ２０９、ネットワーク２１４を介して外部機器と接続・通信するものであり、ネットワークでの通信制御処理を実行する。例えば、ＴＣＰ／ＩＰを用いた通信やＩＳＤＮなどの電話回線、および携帯電話の３Ｇ回線を用いた通信が可能である。
【００３３】
なお、記憶装置２０４は情報を永続的に記憶するための媒体であって、その形態をハードディスク等の記憶装置に限定するものではない。例えば、ＳＳＤ（Ｓｏｌｉｄ  Ｓｔａｔｅ  Ｄｒｉｖｅ）などの媒体であってもよい。
【００３４】
また本実施例における通信端末で行われる各種処理時の一時的なメモリエリアとしても利用可能である。
【００３５】
図３は、本発明における情報処理装置の機能構成の一例を示す図である。
【００３６】
本発明の情報処理装置１０２は、仮想キーボード／ピッカー３０１を表示するディスプレイ装置３０２を備えている。機能構成として、検知部３０３、キー監視部３０４、微調整判定部３０５、ホイール制御部３０６、および表示制御部３０７を有している。
【００３７】
ピッカーとは、ホイール式の選択コントロールであり、ホイール（ドラム・リール）のモチーフを用いて表示された複数の値を選択入力できるコントロールのことである。項目を採用領域に移動操作することにより目的の項目を選択するものである。
【００３８】
検知部３０３は、ユーザから仮想キーボード／ピッカーに対して行われた入力を検知する。キー監視部３０４は、検知部３０３によって検知された入力が、仮想キーボード／ピッカーにおけるどのキーやボタンが入力されたのかを監視するものである。
【００３９】
微調整判定部３０５は、ユーザによりピッカーの選択項目の微調整（移動）をするか否か、また、微調整する移動量を判定する。微調整とは、選択項目を指などで指定された移動させることを指すものである。
【００４０】
ホイール制御部３０６は、微調整判定部に判定された移動量に基づいて選択項目を移動制御する。表示制御部は、仮想キーボード／ピッカーやその他のメッセージなどの表示制御を行うものである。
【００４１】
図４は、本発明の情報処理装置における項目選択処理の画面イメージの一例を示す図である。
【００４２】
画面４０１においてユーザは、採用領域４０２に対して指などのポインタ４０３によるタッチ操作を行い項目の選択を開始する。本実施例では、「２０１３年２月１５日」を選択したい場合を例に説明する。ユーザは「年」「月」「日」のそれぞれの選択項目に対して操作を行う。また本図における説明は従来技術において用いられている手法である。
【００４３】
画面４１１は、「日」の選択項目に対して、ポインタ４１３により上から下にフリック操作が行われると、選択領域４１２には所定の速度で選択項目が移動されるような表示が行われる。
【００４４】
次の画面４２１では、採用領域４２２に、「２０１３年２月１５日」が表示されているので、ユーザは不図示のＯＫボタンを押下することで、上位アプリケーションに選択した日付情報を送信することができる。
【００４５】
図５は、本発明の情報処理装置における項目調整処理の画面イメージの一例を示す図である。
【００４６】
図４では、従来行われている項目の選択方法について説明したが、従来の方法では、例えば選択項目を２つ移動したい場合に画面が小さいなどの理由でうまく選択できない場合があったものに対応したものである。フリックにより選択項目をスクロールさせたのにもかかわらず移動量が足りない場合や移動しすぎた場合の調整用としても利用可能である。
【００４７】
画面５０１においてユーザは、採用領域４０２に対して指などのポインタ５０３によるタッチ操作を行い項目の選択を開始する。本実施例では、ポインタ５０３は指などによりマルチタッチを行うものとして説明する。
【００４８】
ポインタ５０３は、矢印の方向（上から下）に向かってタッチパネルへの接続が２つとなるように（例えば２本指）でフリックを行うと、日付が２つマイナスされ、画面５２１の選択領域５２２に示すように「１７日」から「１５日」に２つマイナス移動されたように表示される。
【００４９】
画面５１１においてユーザは、同様にポインタ５１３によるタッチ操作を行い項目の選択を開始する。
【００５０】
ポインタ５１３は、矢印の方向（下から上）に向かってタッチパネルへの接続が２つとなるように（例えば２本指）でフリックを行うと、日付が２つプラスされ、画面５２１の選択領域５２２に示すように「１３日」から「１５日」に２つプラス移動されたように表示される。
【００５１】
本実施例では、指の本数を２本として説明したが例えば３本の場合は、タッチパネルへの接続数を３と判定して選択項目の移動量が３つとなる。同様に４本の場合は移動量が４つとなる。
【００５２】
また、本図面による処理は、図４による通常のスクロールが行われた後、うまく停止せず、もう少し進めたい場合や戻したい場合に調整可能なように構成することもできる。
【００５３】
図６は、本発明の情報処理装置の全体処理の一例を示すフローチャートである。
【００５４】
情報処理装置１０１で日付選択画面の表示要求されることで処理が開始される。
【００５５】
ステップＳ６０１で日付選択の受付を行い、ステップＳ６０２では日付の受付を行うための日付ピッカー（項目受付画面）を表示する。
【００５６】
ステップＳ６０３では、ユーザ操作により、日付ピッカー内ホイール（ドラム）に対する操作を受付ける。（項目選択受付手段）
【００５７】
ステップＳ６０４では、日付ピッカー内ホイール（ドラム）の停止を受付ける。具体的には、ステップＳ６０３で受け付けたフリック操作に対して選択項目の移動が終了した状態を示す。
【００５８】
ステップＳ６０５では、微調整の受付け処理を行い、ステップＳ６０６では微調整を受付けたかどうかの判定を行う。詳細は図７にて説明するが、微調整受付処理は、例えばホイールの停止に伴い所定の操作が行われるか否かにより微調整を行うフラグを立てる（モードの変更）かどうかの判定を行う処理である。
【００５９】
ステップＳ６０６で微調整を実行すると判定された場合には、ステップＳ６０７で微調整処理を行い、一方、微調整を行わない場合には、ステップＳ６０８に進み、日付選択が終了したが否かの判定を行い、日付選択が終了するまでステップＳ６０３〜ステップＳ６０８の処理を繰り返す。
【００６０】
図７は、本発明の情報処理装置の微調整受付処理の一例を示すフローチャートである。
図６のステップＳ６０５の微調整受付処理に対応する。
【００６１】
ステップＳ７０１で、微調整フラグをオフに設定する。微調整フラグとは後述する図８に示す微調整処理を実行するか否かのフラグである。このフラグがオフの場合には微調整処理が実行されず、オンの場合は実行されるように構成することができる。
【００６２】
ステップＳ７０２およびステップＳ７０３では、ホイールが停止状態となる所定時間内にタッチパネルへの接触を検出したか否かの判定を行う。
【００６３】
所定時間内にタッチパネルへの接触がなかった場合には処理を終了、所定時間内であった場合に有効とする。また、所定時間のうちは、ステップＳ７０２とステップＳ７０３の処理を繰り返す。
【００６４】
所定時間内とは、ホイールが停止してからの所定時間もしくはホイールが停止する数秒前からの所定時間を示す。
【００６５】
ステップＳ７０４では、検出された接触場所が日付ピッカーの領域外であるかの判定を行う。ピッカーの領域内への接触であった場合は、ホイールへの入力とみなして処理を終了させることができる。
【００６６】
接触されたエリアがピッカー領域外であった場合には、ステップＳ７０５に進みフリック操作を伴うかどうなの判定を行う。
【００６７】
フリック操作でなかった場合は処理を終了し、フリック操作を伴う場合にはステップＳ７０６に進み、微調整実行フラグをオンにして処理を終了する。
【００６８】
本実施例では、接触されたエリアが日付ピッカーの領域内か否かで微調整フラグのオン／オフの条件の１つとしたがこれに限ったものではなく、「微調整」ボタンを設けてもよいし、日付ピッカー以外の別の領域に接触したことと条件にしても構わない。
【００６９】
図８は、本発明の情報処理装置の微調整処理の一例を示すフローチャートである。
【００７０】
微調整フラグがオンになっている場合に処理が実行される。なお、本フローチャートは、図６のサブフローとして説明されているが、図６のステップＳ６０７の微調整処理として機能させても構わないし、独立して微調整処理として機能させても構わないものである。
【００７１】
ステップＳ８０１で微調整のためにタッチパネルに入力されたマルチタッチの点数を検出する。図５を例にすると指が２本なのでマルチタッチの点数は２つとなる。（移動量決定手段）
【００７２】
ステップＳ８０２ではフリック操作の方向を検出する。図５を例にすると入力画面５０１では、（下から）上方向へのフリック操作であり、入力画面５１１では（上から）下方向へのフリック操作となる。
【００７３】
ステップＳ８０３では、フリック操作の方向を判定する。上方向へのフリック操作であった場合ステップＳ８０４に進み、下方向へのフリック操作であった場合ステップＳ８０６に進む。
【００７４】
ステップＳ８０５で、上方向でも下方向でもないと判定された場合は処理を終了する。
【００７５】
ステップＳ８０４では、対象ホイールの値にマルチタッチの点数分加算する（上方向なので）。
【００７６】
図５を例にすると画面５０１の「１７日」から画面５２１の「１５日」にＦ２つ加算されてホイールが移動されたように表示される。
【００７７】
ステップＳ８０６では、対象ホイールの値にマルチタッチの点数分減算する（下方向なので）。図５を例にすると画面５０２の「１３日」から画面５２１の「１５日」に２つ分減算されてホイールが移動されたように表示される。
【００７８】
なお、本実施例では、選択項目を調整することを便宜上微調整として説明したが、これに限ったものではなく、調整や移動などの文言としても説明可能なものである。
【００７９】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００８０】
また、本発明におけるプログラムは、実施例に示すフローチャートの処理方法をコンピュータが実行可能なプログラムであり、本発明の記憶媒体は実施例にしめるフローチャートの処理方法をコンピュータが実行可能なプログラムが記憶されている。なお、本発明におけるプログラムは実施例の各装置の処理方法ごとのプログラムであってもよい。
【００８１】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００８２】
この場合、記録媒体から読み出されたプログラム自体が本発明の新規な機能を実現することになり、そのプログラムを記憶した記録媒体は本発明を構成することになる。
【００８３】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク、ソリッドステートドライブ等を用いることができる。
【００８４】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００８５】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００８６】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００８７】
さらに、本発明を達成するためのプログラムをネットワーク上のサーバ、データベース等から通信プログラムによりダウンロードして読み出すことによって、そのシステムあるいは装置が、本発明の効果を享受することが可能となる。
【００８８】
なお、上述した各実施形態およびその変形例を組み合わせた構成も全て本発明に含まれるものである。
【符号の説明】
【００８９】
１０１  情報処理装置
１０２  画面タイトル
１０３  ホイール式項目選択欄
１０６  採用領域
１０７  本日日付ボタン
１０８  ＯＫボタン
【図１】
2015049664.tif 000003
【図２】
2015049664.tif 000004
【図３】
2015049664.tif 000005
【図４】
2015049664.tif 000006
【図５】
2015049664.tif 000007
【図６】
2015049664.tif 000008
【図７】
2015049664.tif 000009
【図８】
2015049664.tif 000010